(57)【要約】【課題】賞球払出し装置の奥行き寸法を短くし、コンパクトに形成する。【解決手段】出力軸４ａを水平方向に延びるように配置した駆動モータ４と、駆動モータ４の本体４ｃの外周を囲んで出力軸４ａの軸線と直交する垂直方向に延びる一対の賞球誘導路７ａ，７ｂと、本体４ｃより下方にて賞球誘導路の排出通路に縦軸１２に回転可能に軸支される賞球払出し回転体６と、駆動モータ４から賞球払出し回転体６に動力を伝達するための傘歯車の対１９、２０を有する伝動機構とを備える。賞球誘導路７ａ，７ｂ及び賞球払出し回転体６は、出力軸４ａの軸線方向における駆動モータ４の厚さの寸法内に配置されている。【選択図】図５
2007054613.tif 000002
【特許請求の範囲】
【請求項１】
出力軸を水平方向に延びるように配置した駆動モータと、前記駆動モータの外周の少なくとも一側にて前記出力軸の軸線と直交する方向に延びる賞球誘導路と、この賞球誘導路に配置される賞球払出し回転体と、前記駆動モータから前記賞球払出し回転体に動力を伝達するための伝動機構とを備えたことを特徴とする賞球払出し装置。
【請求項２】
前記賞球誘導路は、前記出力軸の軸線方向における前記駆動モータの厚さの寸法内に配置されていることを特徴とする請求項１に記載の賞球払出し装置。
【請求項３】
前記賞球払出し回転体は、その回転軸心が前記出力軸の軸心と直交する垂直状に延び、  前記伝動機構には、傘歯車の対が備えられていることを特徴とする請求項１または２に記載の賞球払出し装置。
【請求項４】
前記賞球払出し回転体は、前記駆動モータの厚さの寸法内に配置されていることを特徴とする請求項３に記載の賞球払出し装置。
【請求項５】
前記賞球誘導路は前記駆動モータを支持する基体に形成され、前記傘歯車の対を軸支する支持プレートが前記基体に装着されていることを特徴とする請求項３または４に記載の賞球払出し装置。
【請求項６】
前記賞球誘導路は、前記駆動モータの左右両側の外周を囲むように一対設けられ、
前記駆動モータより下方位置において、前記一対の賞球誘導路は、前記駆動モータの左右方向の幅内に位置して下方に延びる平行状の一対の排出通路に形成されていることを特徴とする請求項１乃至５のいずれかに記載の賞球払出し装置。
【請求項７】
前記一対の排出通路の間に配置される前記１つの賞球払出し回転体は、その回転軸線が前記両排出通路の延びる方向と平行状に配置されていることを特徴とする請求項６に記載の賞球払出し装置。
【請求項８】
前記基体の表面に取付板を装着することにより、前記賞球誘導路の一側面を構成したことを特徴とする請求項１乃至７のいずれかに記載の賞球払出し装置。
【請求項９】
前記各排出通路を通過する賞球の個数を計数する計数センサは回路基板上に備えられ、  前記回路基板は、その片面側を覆う金属板製のカバー体と共に前記取付板の表面に少なくとも一部を接触固定されて、アースが取れていることを特徴とする請求項８に記載の賞球払出し装置。
【請求項１０】
前記回路基板には、前記駆動モータへの電源供給のための中継コネクタを備え、前記計数センサに対する配線と前記駆動モータへの電源供給のための配線を１つの集約コネクタに集約して外部との接触を可能に構成したことを特徴とする請求項９に記載の賞球払出し装置。
【請求項１１】
前記計数センサは光遮断式であり、その光遮断通路は前記回路板の平面と実質上平行に設定されていることを特徴とする請求項９または１０に記載の賞球払出し装置。
【発明の詳細な説明】
【技術分野】
【０００１】
本発明は、パチンコ機等の遊技機における賞球払出し装置の構成に関するものである。
【背景技術】
【０００２】
パチンコ機等の遊技機における従来の賞球払出し装置の構成として、例えば特許文献１に記載の発明では、パチンコ台の台間機等に使用されるパチンコ玉の払出し機（賞球払出し装置）において、上下方向に延びる玉誘導路の一側に玉切り盤を、その回転軸心が水平となるように配置する。前記玉切り盤の一側に配置される駆動モータの出力軸を、前記玉誘導路と平行状にて上向きに突設し、この出力軸にウオーム歯車を取付けし、このウオーム歯車を前記玉切り盤と一体的に回転する伝動歯車と噛合うように配置したものが開示されている。
【０００３】
他方、特許文献２では、上下方向に延びる賞品玉用の玉誘導路の下端部を水平方向に誘導したのち賞品玉を下方に排出する賞品玉払出し口の近傍には、スクリュー状の賞品玉排出回転体を、その回転軸線が上下に延びるように配置し、この賞品玉排出回転体は、駆動モータ（ステップモータ）における下向きに突出した出力軸に直接取付けした構成が開示されている。
【特許文献１】特開平１０−３１４４３９号公報（図１）
【特許文献２】特開２００１−３５３３１３号公報（図１及び図２参照）
【発明の開示】
【発明が解決しようとする課題】
【０００４】
ところで、賞球の払出し装置においては、賞球の払出しの指令信号にて所定数のみの賞球を払出した後、直ちに停止させる必要があり、そのためには、駆動モータを急停止させるように制御しなければならない。また、最近の傾向としては、所定数の賞球を迅速に払い出すことが要求されている。
【０００５】
さらに、最近の傾向として、パチンコ機の裏面側には、役物のための必要空間が多く取られ、賞球の払出し装置のための設置空間が少なくなり、且つ賞球の払出し装置の小型化が求められている。
【０００６】
しかしながら、特許文献１の構成では、駆動モータの出力軸にウオーム歯車を取付し、このウオーム歯車を前記玉切り盤と一体的に回転する伝動歯車と噛合わせる構成であるから、ウオーム歯車から伝動歯車に対する減速比が大きくなる。従って、駆動モータの回転数を大きく（速く）しなければ、賞球の排出速度を大きくできないという問題があった。しかも、玉誘導路と平行状に前記玉切り盤を配置すると、それに隣接する伝動歯車にウオーム歯車を噛み合わせる配置しか有り得ず、駆動モータの軸線は、玉誘導路に対して偏倚（オフセット）させる必要があり、駆動モータの直径も相当程度大きいから、賞球の払出し装置全体の奥行き寸法（厚さ寸法、前記玉切り盤の水平な軸線の延びる方向に沿う装置全体の寸法）を小さくできないという問題があった。
【０００７】
他方、特許文献２の構成では、賞品玉排出回転体が駆動モータ（ステップモータ）の縦方向の出力軸に直接取付けられているので、所定数の賞球の排出後に直ちに、その回転を停止するのに必要なステップモータの静止トルクが大きいように設定されなければならず、必然的にステップモータの直径を大きくしなければならないから、賞球払出し装置全体の奥行き寸法（厚さ寸法、ステップモータの出力軸と直交する方向の装置全体の寸法）は、玉誘導路の奥行き寸法よりかなり大きいステップモータの直径とほぼ等しくなって、賞球の払出し装置を小型化できないという問題があった。
【０００８】
本発明は、駆動モータの出力軸の方向と、賞球誘導路の配置を工夫したレイアウトを採用することにより、奥行き寸法を小さく形成できる賞球払出し装置を提供することを第１の目的とし、さらに、駆動モータ及び払出しされる賞球の個数を計数するための計数センサに接続する配線構造を簡単にすることを第２の目的とするものである。
【課題を解決するための手段】
【０００９】
前記目的を達成するため、請求項１に記載の発明の賞球払出し装置は、出力軸を水平方向に延びるように配置した駆動モータと、前記駆動モータの外周の少なくとも一側にて前記出力軸の軸線と直交する方向に延びる賞球誘導路と、この賞球誘導路に配置される賞球払出し回転体と、前記駆動モータから前記賞球払出し回転体に動力を伝達するための伝動機構とを備えたことを特徴とするものである。
【００１０】
請求項２に記載の発明は、請求項１に記載の賞球払出し装置において、前記賞球誘導路は、前記出力軸の軸線方向における前記駆動モータの厚さの寸法内に配置されているものである。
【００１１】
請求項３に記載の発明は、請求項１または２に記載の賞球払出し装置において、前記賞球払出し回転体は、その回転軸心が前記出力軸の軸心と直交する垂直状に延び、前記伝動機構には、傘歯車の対が備えられているものである。
【００１２】
請求項４に記載の発明は、請求項３に記載の賞球払出し装置において、前記賞球払出し回転体は、前記駆動モータの厚さの寸法内に配置されているものである。
【００１３】
請求項５に記載の発明は、請求項３または４に記載の賞球払出し装置において、前記賞球誘導路は前記駆動モータを支持する基体に形成され、前記傘歯車の対を軸支する支持プレートが前記基体に装着されているものである。
【００１４】
請求項６に記載の発明は、請求項１乃至５のいずれかに記載の賞球払出し装置において、前記賞球誘導路は、前記駆動モータの左右両側の外周を囲むように一対設けられ、前記駆動モータより下方位置において、前記一対の賞球誘導路は、前記駆動モータの左右方向の幅内に位置して下方に延びる平行状の一対の排出通路に形成されているものである。
【００１５】
請求項７に記載の発明は、請求項６に記載の賞球払出し装置において、前記一対の排出通路の間に配置される前記１つの賞球払出し回転体は、その回転軸線が前記両排出通路の延びる方向と平行状に配置されているものである。
【００１６】
請求項８に記載の発明は、請求項１乃至７のいずれかに記載の賞球払出し装置において、前記基体の表面に取付板を装着することにより、前記賞球誘導路の一側面を構成したものである。
【００１７】
請求項９に記載の発明は、請求項８に記載の賞球払出し装置において、前記各排出通路を通過する賞球の個数を計数する計数センサは回路基板上に備えられ、前記回路基板は、その片面側を覆う金属板製のカバー体と共に前記取付板の表面に少なくとも一部を接触固定されて、アースが取れているものである。
【００１８】
請求項１０に記載の発明は、請求項９に記載の賞球払出し装置において、前記回路基板には、前記駆動モータへの電源供給のための中継コネクタを備え、前記計数センサに対する配線と前記駆動モータへの電源供給のための配線を１つの集約コネクタに集約して外部との接触を可能に構成したものである。
【００１９】
請求項１１に記載の発明は、請求項９または１０に記載の賞球払出し装置において、前記計数センサは光遮断式であり、その光遮断通路は前記回路板の平面と実質上平行に設定されているものである。
【発明の効果】
【００２０】
上述のように、請求項１に記載の発明の賞球払出し装置は、出力軸を水平方向に延びるように配置した駆動モータと、前記駆動モータの外周の少なくとも一側にて前記出力軸の軸線と直交する方向に延びる賞球誘導路と、この賞球誘導路に配置される賞球払出し回転体と、前記駆動モータから前記賞球払出し回転体に動力を伝達するための伝動機構とを備えるので、賞球払出し装置全体の奥行き寸法を短くして、コンパクトにすることができる。
【００２１】
請求項２に記載の発明によれば、前記賞球誘導路を、前記出力軸の軸線方向における前記駆動モータの厚さの寸法内に配置することにより、一層賞球払出し装置全体の奥行き寸法を短くできる。
【００２２】
請求項３に記載の発明によれば、前記賞球払出し回転体は、その回転軸心が前記出力軸の軸心と直交する垂直状に延び、前記伝動機構には、傘歯車の対が備えられているものであるから、出力軸の軸線と直交する方向に延びる賞球払出し回転体に動力伝達することが容易にでき、且つ伝動機構をコンパクトに構成することができるという効果を奏する。
【００２３】
請求項４に記載の発明によれば、前記賞球払出し回転体は、前記駆動モータの厚さの寸法内に配置されているものであるから、これによっても、一層賞球払出し装置全体の奥行き寸法を短くできる。
【００２４】
請求項５に記載の発明によれば、前記賞球誘導路は前記駆動モータを支持する基体に形成され、前記傘歯車の対を軸支する支持プレートが前記基体に装着されているものであるから、両傘歯車の支軸の軸線の芯合わせ（両軸線が直角にて交差する精度）を向上させることができ、傘歯車対の噛み合わせ精度を良くすることができるという効果を奏する。
【００２５】
請求項６に記載の発明によれば、前記賞球誘導路は前記駆動モータの左右両側の外周を囲むように一対設けられ、前記駆動モータより下方位置において、前記一対の賞球誘導路は、前記駆動モータの左右方向の幅内に位置して下方に延びる平行状の一対の排出通路に形成されているものであるので、１つの賞球払出し回転体を両方の賞球誘導路からの賞球の排出動作に利用できることになり、賞球の払出し速度の迅速化と、賞球払出し装置全体の小型化に寄与できる。
【００２６】
請求項７に記載の発明によれば、前記一対の排出通路の間に配置される前記１つの賞球払出し回転体は、その回転軸線が前記両排出通路の延びる方向と平行状に配置されているものであるので、賞球払出し回転体が基体の厚さ方向にはみ出ることを極力防止できるとともに、賞球払出し装置全体の奥行き寸法を短くして、コンパクトにすることができるという効果を奏する。
【００２７】
請求項８に記載の発明によれば、前記基体の表面に取付板を装着することにより、前記賞球誘導路の一側面を構成したものであるから、これによっても一層賞球払出し装置全体の奥行き寸法を短くできる。
【００２８】
請求項９に記載の発明によれば、前記各排出通路を通過する賞球の個数を計数する計数センサは回路基板上に備えられ、前記回路基板は、その片面側を覆う金属板製のカバー体と共に前記取付板の表面に少なくとも一部を接触固定されて、アースが取れているものであるから、回路基板を取付けするだけで、基体の所定位置に対する計数センサの設置が完了できると共に、アースも取れるので、部品の組み付け作業が至極簡便にできるという効果を奏する。
【００２９】
請求項１０に記載の発明によれば、前記回路基板には、前記駆動モータへの電源供給のための中継コネクタを備え、前記計数センサに対する配線と前記駆動モータへの電源供給のための配線を１つの集約コネクタに集約して外部との接触を可能に構成したものであるので、賞球払出し装置に対する配線作業を至極簡単にできるという効果を奏する。
【００３０】
請求項１１に記載の発明によれば、前記計数センサは光遮断式であり、その光遮断通路は前記回路板の平面と実質上平行に設定されているものであるので、賞球払出し装置全体の奥行き寸法を短くできるという効果を奏する。
【発明を実施するための最良の形態】
【００３１】
次に、本発明を具体化した最良の実施形態について説明する。図１は賞球払出し装置の第１実施形態の正面図、図２は賞球払出し装置の第１実施形態の分解斜視図、図３は下面図、図４は取付板を外した状態の正面図、図５は図１のＶ−Ｖ線矢視断面図、図６は賞球払出し装置の第２実施形態の分解斜視図、図７は基体に駆動モータと賞球払出し回転体及び伝動機構の一部（傘歯車）を組み付けた状態の正面側斜視図、図８（ａ）は図７の正面図、図８（ｂ）は図８（ａ）の VIIIb−VIIIb 線矢視断面図、図９（ａ）は組立て完了状態の斜視図、図９（ｂ）は下面図、図１０（ａ）は組立て完了状態の正面図、図１０（ｂ）は図１０（ａ）のXb−Xb線矢視断面図、図１１（ａ）は裏面図、図１１（ｂ）は図１１（ａ）の左側面図、図１２（ａ）は回路基板の計数センサ取付け側の斜視図、図１２（ｂ）は図１２（ａ）の正面図である。
【００３２】
本発明に係る賞球払出し装置１は、合成樹脂材にて射出成形などにて正面視略矩形状に一体的に形成された基体２と、この基体２の中央部に形成されている円形状の取付孔３に出力軸４ａを水平方向にして配置する駆動モータ４と、駆動モータ４の下方にて後述する伝動機構５を介して回転される賞球払出し回転体６とを備える。
【００３３】
第１実施形態における基体２には、その表面側（広幅面）に開放されるように凹み形成された左右一対の賞球誘導路７ａ、７ｂを有し、基体２の表面側（広幅面）は賞球誘導路７ａ、７ｂの開放面を覆うように金属板等の取付板９にて覆われ、ビス１０にて基体２に着脱可能に取付けられている。一対の賞球誘導路７ａ、７ｂは基体２の正面視において、取付孔３の周囲を取り囲むように形成されている（図２及び図４参照）。換言すると、一対の賞球誘導路７ａ、７ｂは、駆動モータ４の本体４ａの外周の少なくとも左右両側を囲むように設けられ、駆動モータ４より下方位置において、駆動モータ４の本体４ａの直径（左右の幅）内に位置して下方に延びるように形成されている。さらに詳述すれば、本実施形態では、基体２の上面に開口する上下方向の導入部７１と、この導入部７１に連通し、且つ取付孔３を囲繞する四角状の枠部２ａの上辺に沿って延びる上通路７２と、この上通路７２に連通し、且つ枠部２ａの縦辺に沿って垂直状に延びる上下通路７３と、この上下通路７３に連通し、基体２の左右中央側に集まって垂直状に下向きに延び、基体２の下面に開口する排出通路７４とからなる。なお、他の実施形態として、上下通路７３の上端が基体２の上面に開口する導入部となるように形成しても良い。
【００３４】
駆動モータ４の出力軸４ａは、賞球誘導路７ａ、７ｂにおける上下通路７３（換言すると、賞球１１の下向き移送方向）に対して直交するように水平方向に延びている。また、スクリュー状の賞球払出し回転体６は上記の排出通路７４を左右に区画するように中央部に配置されている。当然ながら、賞球払出し回転体６は賞球誘導路７ａ、７ｂの奥行き寸法Ｈ１（図５参照）の範囲内に配置されている。賞球払出し回転体６を回転させることにより、左右両方の賞球誘導路７ａ、７ｂ内の賞球１１を交互に排出できるように構成されている。さらに、詳述すると、賞球払出し回転体６の基部の直径は賞球１１の直径程度に細く形成されるとともに、その周囲にらせん状の玉受け面６ａを構成する鍔部が一体的に形成されている。らせん状の玉受け面６ａは、その上部が賞球１１の直径より小さな送りピッチであるが下方に行くに従って前記直径より僅か大きい送りピッチとなるように形成されている。
【００３５】
本実施形態に採用する駆動モータ４は、ＰＭ型ステップモータであり、所定数の賞球を払出すとの指令があると、所定数のパルスの出力信号を出す。この出力信号の最終パルスが若干長い時間出力し続けることで駆動モータ４は直ちに停止し、その後信号出力がオフになっても、駆動モーター４自身が持つ静止トルクにて、その状態を維持するように構成されている。
【００３６】
駆動モータ４の回転力は後述する伝動機構５を介して賞球払出し回転体６に伝達される。本実施形態において、伝動機構５は、駆動モータ４の出力軸４ａに固着された第１伝動歯車１６と、この第１伝動歯車１６に噛合う第２伝動歯車１８と、第２伝動歯車１８の裏面側に一体的に形成される等して一体的に回転する第１傘歯車１９と、支持プレート１５に縦方向に支持された縦軸１２に回転可能に設けられた第２傘歯車２０とを備える。第１伝動歯車１６及び第２伝動歯車１８はぞれぞれ平歯車である。
【００３７】
基体２の枠部２ａの下辺の前面に対してビス１４で固定された断面コ字型の支持プレート１５の垂直片に水平軸１７の基端を固定し、第２伝動歯車１８が水平軸１７に軸支される。第１傘歯車１９と第２傘歯車２０とは、回転軸線が直交するように配置されている（図５参照）。第２傘歯車２０の基部は賞球払出し回転体６の挿通孔の上部に固く嵌合し、賞球払出し回転体６と第２傘歯車２０とが一体的に回転するように構成されている。
【００３８】
賞球払出し回転体６及び第２傘歯車２０は縦軸１２に対して回転自在に支持され、断面円形の縦軸１２の下端部１２ａはＤ型にカットされ、この下端部１２ａは基体２の下片２ｂに穿設された装着孔１３に嵌まっている（図５参照）。縦軸１２の下端部１２ａと基体２の下片２ｂとの間には、賞球払出し回転体６の回転抵抗を低減するためのワッシャ等のスラスト軸受部材と、第２傘歯車２０のバックラッシュを低減する波座金（ワッシャの下方に配置）が介挿されている。そして、縦軸１２の上端部は、第２傘歯車２０を貫通して支持プレート１５の下片の装着孔（図示せず）に支持されている。
【００３９】
このように、１つの支持プレート１５に予め水平軸１７の取付孔と、縦軸１２の取付孔を穿設しておくことにより、水平軸１７の軸線と縦軸１２の軸線とが直角にて交差する精度を向上させることができ、第１傘歯車１９と第２傘歯車２０との噛み合わせ精度を良くすることができる。
【００４０】
なお、第１実施形態では、駆動モータ４の出力軸４ａの一回転につき、賞球払出し回転体６が一回転するように伝動機構５の速度比率が設定されているが、出力軸４ａの単位時間当たりの回転数に比して賞球払出し回転体６のそれを増速させたり、減速させるように伝動機構５の速度比率を設定することは任意である。賞球払出し速度を速くするには、増速する伝動機構５にすべきである。駆動モータ４の本体４ｃの前面から半径側方向に突出するフランジ部４ｂは取付板９と基体２とに挟まれた状態で、ビス２３にて締着することが好ましい。基体２の下部には、左右２列の排出通路７４、７４毎の賞球の排出個数を検出するための遮光式の計数センサ（ホトインタラプタ）２２ａ、２２ｂが設けられている。第１実施形態では、各計数センサ２２ａ、２２ｂの光路が基体２の厚さ方向に対して平行状となるように、例えば、各計数センサ（ホトインタラプタ）２２ａ、２２ｂの発光部を基体２の表面に、受光部を基体２の裏面に配置させている。そのため、各計数センサ（ホトインタラプタ）２２ａ、２２ｂのケースを基体２の裏面と基体２の表面側の取付板９の外側を跨ぐようにして装着されている（図２〜図５参照）。
【００４１】
上記の構成において、パチンコ玉（賞球）の直径は通常１１mmであり、従って、賞球誘導路７ａ、７ｂを形成する壁等の部材の厚さを含め、基体２の厚さ寸法（奥行き寸法）Ｈ２（図５参照）は１５mm程度とすることが好ましい。
【００４２】
また、賞球払出し装置１全体の奥行き寸法を短くして、コンパクトにするために、駆動モータ４の出力軸４ａを水平にした場合、賞球誘導路７ａ、７ｂは、上下方向に延びるように配置するとともに、駆動モータ４の外周に沿うように配置することで実現できる。請求項でいう出力軸の軸線方向における駆動モータ４の厚さの寸法とは、駆動モータ４の本体４ｃの奥行き寸法ばかりでなく、前記本体４ｃに加えて出力軸４ａの先端までの寸法をいうものとする。従って、伝動機構５も、請求項でいう出力軸の軸線方向における駆動モータ４の厚さの寸法内に納まるものとする。しかしながら、駆動モータ４の本体４ｃの奥行き寸法が極端に薄い場合には、賞球払出し回転体６の直径の一部が前記奥行き寸法からはみ出ることはあり得る。
【００４３】
賞球払出し装置１全体の奥行き寸法をさらに短くするためには、駆動モータ４の本体４ｃの奥行き寸法Ｈ３（図５参照）内に、前記賞球誘導路７ａ、７ｂを形成することが好ましい。また、基体２における駆動モータ４の配置箇所より下部に、駆動モータ４の本体４ｃの奥行き寸法Ｈ３内にて賞球払出し回転体６をその回転軸線が垂直となるように配置し、且つ、出力軸４ａから賞球払出し回転体６までの伝動機構５中に、傘歯車の対を配置することで、出力軸４ａの軸線と直交する方向に延びる賞球払出し回転体６に動力伝達することが容易にでき、且つ伝動機構５をコンパクトに構成することができる（図５参照）。
【００４４】
さらに、基体２の片面（表面）に開放するように形成された賞球誘導路７ａ、７ｂの一側面を取付板９にて覆うことで、賞球誘導路７ａ、７ｂの形状及び奥行き寸法も正確に設定できる。
【００４５】
この取付板９を薄い金属板で構成することで、その効果は更に顕著となり、加えてモータ４の放熱板や、電気的ノイズの遮断等、二次的な効果を多々もたらすことも期待できる。尚、他の実施形態として、モータ４や、支持プレート１５を基体２ではなく、取付板９にビス等にて固定するようにしても良い。
【００４６】
賞球払出し装置１の第２実施形態は、図６〜図１２までに示す。この実施形態では、合成樹脂製の射出成形品である基体２′に形成されている左右一対の賞球誘導路７ａ、７ｂの形状及び奥行き寸法などはほぼ第１実施形態のものと同じである。また、基体２′の中央部に形成されている円形状の取付孔３には、出力軸４ａを水平方向にして駆動モータ４が配置されて、そのフランジ部４ｂはビス２３により基体２′に固定される。駆動モータ４の下方には伝動機構５′を介して回転される賞球払出し回転体６′が配置されている。
【００４７】
第１実施形態と第２実施形態との主な相違点は、基体２′、賞球払出し回転体６′及び取付け板９′の若干の形状の変更と、伝動機構５′の構成、さらに計数センサ３０の取付け構造である。従って、第１実施形態と第２実施形態との構成が同じである箇所については同じ符号を付して詳細な説明は省略する。
【００４８】
基体２′において第１実施形態と異なる点は、伝動機構５′、賞球払出し回転体６′及び計数センサ３０の取付けに関連する部分である。即ち、賞球払出し回転体６′の長さを短くしたため、その縦軸１２の下端を支持する下支持部２４が賞球誘導路７ａ、７ｂにおける排出通路７４の上下方向の中途部に水平状に突設されている（図６、図７、図８（ａ）及び図８（ｂ）参照）。
【００４９】
伝動機構５′に関しては、駆動モータ４の水平方向の出力軸４ａに固着された第１伝動歯車１６と、この第１伝動歯車１６に噛合う中間歯車２５と、中間歯車２５に噛合う第２伝動歯車１８と、第２伝動歯車１８の裏面側に一体的に形成される等して一体的に回転する第１傘歯車１９と、支持プレート１５及び上記下支持部２４とに縦方向に支持された縦軸１２に回転可能に設けられた第２傘歯車２０とを備える。
【００５０】
第１伝動歯車１６、中間歯車２５及び第２伝動歯車１８はそれぞれ平歯車にて構成されており、実施形態では、中間歯車２５のみが第１伝動歯車１６及び第２伝動歯車１８より大径に形成されている。基体２の枠部２ａの下辺の前面に対してビス１４で固定された断面コ字型の支持プレート１５の垂直片に水平軸１７の基端を固定し、第２伝動歯車１８が水平軸１７に軸支される。第１傘歯車１９と第２傘歯車２０とは、回転軸線が直交するように配置されている（図８（ｂ）参照）。第２傘歯車２０の基部は賞球払出し回転体６′の挿通孔の上部に固く嵌合し、賞球払出し回転体６′と第２傘歯車２０とが一体的に回転するように構成されている。
【００５１】
中間歯車２５は、金属板製の取付け板９′の表面側に予め支軸２６を介して回転自在に取付けられている（図６参照）。また、取付け板９′には、小径の第１伝動歯車１６及び第２伝動歯車１８がそれぞれ通過し得る貫通穴２７ａ、２７ｂが穿設されているので、第１伝動歯車１６付きの駆動モータ４を基体２′に予め固定する一方、賞球払出し回転体６′と第２伝動歯車１８と第１傘歯車１９と第２傘歯車２０とを支持プレート１５を介して予め固定した状態で、取付け板９′を基体２′の表面に取付けすることで、伝動機構５′の組み込みが簡単にできるのである。なお、伝動機構５′における駆動モータ４から賞球払出し回転体６′への回転速度の減速については、第１伝動歯車１６と中間歯車２５との歯数比率を変更すれば良い。
【００５２】
第１伝動歯車１６、中間歯車２５及び第２伝動歯車１８が取付け板９′の表面側に露出しているため、歯車カバー体２８にて覆い、ゴミ、埃の付着による伝動機構５′の破損、伝動効率の低下などを防止することができる。
【００５３】
次に、計数センサ３０の取付け構造について説明する。図８（ａ）、図１２（ａ）及び図１２（ｂ）に示すように、賞球払出し回転体６′が間に配置された左右一対の排出通路７４、７４毎の賞球の排出個数を検出するための遮光式の計数センサ３０は、それぞれ発光部３０ａと受光部３０ｂとの対からなり、ガラスエポキシ樹脂製などの回路基板（プリント基板）３１の一方の片面（表面）に取付けられている。対の発光部３０ａから受光部３０ｂへの光路は回路基板３１の一方の片面（表面、平面）と平行状であり、且つ上記各排出通路７４にて賞球１１の下方への移動経路と直交する水平方向となるように設定されている。
【００５４】
回路基板３１の一方の片面（表面）には、駆動モータ４への電源供給のための中継コネクタ３２と、計数センサ３０に対する配線と駆動モータ４への電源供給のための配線を集約させる１つの集約コネクタ３３とが設けられている。回路基板３１の他方の片面（裏面）には、中継コネクタ３２と集約コネクタ３３とを接続する回路配線（図示せず）と、上記それぞれ発光部３０ａ及び受光部３０ｂと集約コネクタ３３とを接続する回路配線（図示せず）とが形成されている。第１及び集約コネクタ３２、３３は、実施形態では雌型である。集約コネクタ３３は、回路基板３１の一方の端部に開口部を向けて配置されている。中継コネクタ３２には、駆動モータ４に接続された電源供給用の配線の先端のコンタクト（共に図示せず）が着脱自在に接続される。集約コネクタ３３には、図示しないパチンコ機の裏面などに設けられた制御基板から延びる配線（フレキシブルフラットケーブルなど）３４（図９（ｂ）参照）の先端に設けられたコンタクトが着脱自在に接続できるものである。
【００５５】
基体２′における一対の排出通路７４、７４を挟む箇所には、図７及び図８（ａ）に示すように、各計数センサ３０の発光部３０ａと受光部３０ｂをそれぞれ収納できる収納凹所３５ａ、３５ｂ、３５ｃ、３５ｄが基体２′の表面に開放されて形成されている。他方、取付け板９′の下部側の左右中央部には、計数センサ３０の一対の発光部３０ａが挿入できる挿入穴３６ａが穿設され、その左右両側には一対の受光部３０ｂが配置可能な切欠き部３６ｂが設けられている（図６参照）。
【００５６】
上記のように構成することにより、基体２′内に駆動モータ４、賞球払出し回転体６′及び伝動機構５′の一部（第１伝動歯車１６、支持プレート１５、第２伝動歯車１８、第１傘歯車１９、第２傘歯車２０）を予め組み付けた後、予め中間歯車２５が取付けられた取付け板９′にて基体２′の表面を覆った後、複数本のビス１０にて取付け板９′を基体２′に固定する。次いで、取付け板９′の表面下部側に、回路基板３１を配置する。このとき、一対の受光部３０ｂは挿入穴３６ａを介して収納凹所３５ａ、３５ｃに配置され、一対の受光部３０ｂは切欠き部３６ｂを介して収納凹所３５ｂ、３５ｄに配置される一方、集約コネクタ３３が基体２′の一側面側に開口することになる（図９（ａ）、図１１（ｂ）参照）。なお、取付け板９′の上端には、Ｌ字状に屈曲させた係合部３９が形成されているので、基体２′の上端面に設けられた係合爪４０に係合させて、取付け作業を容易にできる（図６、図７、図１０（ａ）参照）。
【００５７】
この状態で、回路基板３１の表面側を金属板製のカバー体３７にて覆い、このカバー体３７と、回路基板３１と、取付け板９′との三者を１本の締着ビス３８にて一体的に基体２′に締着させるのである。この締着ビス３８を介して、回路基板３１のアース部が金属製取付け板９′に電気的に連通することになる。上記カバー体３７と、回路基板３１と、取付け板９′との三者の接触部はそれぞれの表面の少なくとも一部であって良く、一部分同士の接触固定でもアースは確実に取れる。また、回路基板３１を金属板製のカバー体３７にて覆うことにより、外部からの静電誘導及び電磁誘導によるノイズ影響を遮断することができる。
【００５８】
上述のように、伝動機構５′の一部としての中間歯車２５を取付け板９′に予め取付けすること及び第１伝動歯車１６、中間歯車２５及び第２伝動歯車１８が平歯車にて構成されていることにより、伝動機構５′の組み付け作業が極めて簡単に実行できるという効果を奏する。
【００５９】
また、回路基板３１に装着する一対の計数センサ３０における各発光部３０ａから受光部３０ｂへの光路が回路基板３１の一方の片面（表面、平面）と平行状になるように設けられていることにより、基体２′の厚さ内に、上記一対の計数センサ３０を配置できることになるので、賞球払出し装置１全体の厚さを薄くできるという効果を奏する。
【００６０】
さらに、回路基板３１には、駆動モータ４への電源供給のための中継コネクタ３２と、計数センサ３０に対する配線及び駆動モータ４への電源供給のための前記中継コネクタ３２からの配線を集約させるのための集約コネクタ３３を備えることにより、外部の制御装置との配線作業が簡便にできるという効果を奏する。
【００６１】
第１及び第２実施形態のいずれにおいても、賞球誘導路７ａ、７ｂは駆動モータ４の本体４ｃの直径の左右両側の外周を囲むように一対設けられ、駆動モータ４より下方位置において、駆動モータ４の左右方向の幅内に位置して下方に延びるように形成されているので、１つの賞球払出し回転体６、６′を両方の賞球誘導路７ａ、７ｂからの賞球の排出動作に利用できることになり、賞球の払出し速度の迅速化と、小型化に寄与できる。
【００６２】
第１及び第２実施形態では、駆動モータ４の本体４ｃを囲むように左右両側に、賞球誘導路７ａ、７ｂを形成したが、一方のみの賞球誘導路だけでも良い。
【図面の簡単な説明】
【００６３】
【図１】賞球払出し装置の第１実施形態の正面図である。
【図２】賞球払出し装置の第１実施形態の分解斜視図である。
【図３】賞球払出し装置の下面図である。
【図４】取付板を外した状態の正面図である。
【図５】図１のＶ−Ｖ線矢視断面図である。
【図６】賞球払出し装置の第２実施形態の分解斜視図である。
【図７】（ａ）は賞球払出し装置の裏面図、（ｂ）は図７（ａ）の左側面図である。
【図８】（ａ）は取付板を外した状態の正面図、（ｂ）は図８（ａ）の VIIIb−VIIIb 線矢視断面図である。
【図９】（ａ）は賞球払出し装置の第２実施形態の組み立て状態の斜視図、（ｂ）は図９（ａ）の上面図である。
【図１０】（ａ）は賞球払出し装置の第２実施形態の組み立て状態の正面図、（ｂ）は図１０（ａ）のXb−Xb線矢視断面図である。
【図１１】（ａ）は賞球払出し装置の第２実施形態の組み立て状態の裏面図、（ｂ）は図１１（ａ）の左側面図である。
【図１２】（ａ）は回路基板の内面側の斜視図、（ｂ）は表面側の斜視図である。
【符号の説明】
【００６４】
１    賞球払出し装置
２、２′    基体
３    取付孔
４    駆動モータ
５、５′    伝動機構
６、６′    賞球払出し回転体
７ａ，７ｂ      賞球誘導路
９、９′    取付板
１１    賞球
１２    縦軸
１５    支持プレート
１６    第１伝動歯車
１８    第２伝動歯車
１９    第１傘歯車
２０    第２傘歯車
２２ａ、２２ｂ、３０      計数センサ
２５    中間歯車
２８    歯車カバー体
３０ａ    発光部
３０ｂ    受光部
３２      中継コネクタ
３３      集約コネクタ
３７      カバー体
【図１】
2007054613.tif 000003
【図２】
2007054613.tif 000004
【図３】
2007054613.tif 000005
【図４】
2007054613.tif 000006
【図５】
2007054613.tif 000007
【図６】
2007054613.tif 000008
【図７】
2007054613.tif 000009
【図８】
2007054613.tif 000010
【図９】
2007054613.tif 000011
【図１０】
2007054613.tif 000012
【図１１】
2007054613.tif 000013
【図１２】
2007054613.tif 000014